(57)【要約】      （修正有）【課題】容器、例えば反応器に固体粒子を装填するための固体粒子分配装置を提供する。【解決手段】固体粒子供給ホッパー（４１８）と、回転部材（４２１）と、回転部材を回転駆動するために回転部材に結合された駆動部材と、各デフレクタ要素が、第１の端部（４３０）と第２の端部（４３２）との間でその長手方向に延在し、その第１の端部で回転部材によって担持される、少なくとも１つのデフレクタ要素のセット（４２５）と、を含み、セットの少なくとも１つのデフレクタ要素は、剛性であって、その第１の端部で回転部材上で旋回するように取り付けられ、分配装置は、回転部材上で旋回するように取り付けられた少なくとも１つのデフレクタ要素を駆動して、容器への導入位置から、回転部材の回転速度に依存しない、立てられた、いわゆる粒子偏差位置まで旋回させるように適合された遠隔作動可能な展開手段（４２２）をさらに含むことを特徴とする、分配装置。【選択図】図４
2020124702.tif 000002
【特許請求の範囲】
【請求項１】
容器に固体粒子を装填する場合に前記固体粒子を分配するための装置（４１７）であって、
重力によってホッパーから粒子を排出するための少なくとも１つの開口部（４１９）のセットを画定する固体粒子供給ホッパー（４１８）と、
回転部材（４２１）と、
前記回転部材に結合されて、使用条件下で前記重力ベクトルの方向の成分をもつ方向を有する回転軸（ｚ）の周りに回転するように前記回転部材を駆動する駆動部材と、
前記供給ホッパーの前記少なくとも１つの開口部のセットの下流における、少なくとも１つのデフレクタ要素のセット（４２５）であって、各デフレクタ要素が、第１の端部（４３０）と第２の端部（４３２）との間でその長手方向に沿って延在し、その第１の端部で前記回転部材によって担持される、少なくとも１つのデフレクタ要素のセット（４２５）と、を含み、
前記セットの少なくとも１つのデフレクタ要素は、剛性であって、その第１の端部で前記回転部材上で旋回するように取り付けられ、
前記分配装置は、前記回転部材上で旋回するように取り付けられた少なくとも１つのデフレクタ要素を駆動して、容器への導入位置から粒子の偏差位置まで旋回させるように適合された遠隔作動可能な展開手段（４２２）をさらに含み、
容器への導入位置では、その長手方向が前記回転軸の方向と第１の角度を形成し、
粒子の偏差位置では、その長手方向が前記回転軸の方向と第２の角度を形成し、
前記第２の角度は第１の角度よりも厳密に大きく、前記回転部材の回転速度とは独立に前記展開手段によって課されることを特徴とする、装置。
【請求項２】
前記分配装置は、前記展開手段が、少なくとも１つの中間位置で旋回するように取り付けられた前記少なくとも１つのデフレクタ要素を保持できるようなものであり、
各中間位置は、厳密に前記第１の角度より大きく、厳密に前記第２の角度より小さい角度に対応する、請求項１に記載の分配装置。
【請求項３】
前記少なくとも１つのデフレクタ要素のセットは、複数のデフレクタ要素を含み、好ましくは、その長さが異なる、請求項１または２に記載の分配装置。
【請求項４】
前記展開手段は、１つまたは複数のデフレクタ要素を前記複数の他のデフレクタ要素とは独立して旋回させるように適合される、請求項３に記載の分配装置。
【請求項５】
前記第２の角度は、４５°〜１００°、好ましくは６０°〜９５°、より好ましくは７５°〜９０°である、請求項１から４のいずれか一項に記載の分配装置。
【請求項６】
前記少なくとも１つのデフレクタ要素のセットは、前記回転軸の周りに不規則に分布している、請求項１から５のいずれか一項に記載の分配装置。
【請求項７】
前記少なくとも１つのデフレクタ要素のセットは、前記回転軸に対して立てられたときに、前記回転部材の前記回転軸に垂直な平面内の前記セットの投影が、前記回転軸を通る対称面をせいぜい１つ含む前記回転軸の周りに非対称分布を有するようなものである、請求項６に記載の分配装置。
【請求項８】
前記デフレクタ要素は、５°を超えて３２０°未満、好ましくは２８０°未満、より好ましくは１８０°未満、さらにより良好には１２０°未満の角度範囲にわたって分布している、請求項１から７のいずれか一項に記載の分配装置。
【請求項９】
前記展開手段は、
使用条件下で前記ホッパー上部に向かって延在する第１の端部ロッド（４２３）を含む連結部材（４２２）と、
前記第１のロッドに取り付けられ、前記第１のロッドに対して関節運動し、少なくとも１つのデフレクタ要素（４２５）と協働する少なくとも１つの第２のロッド（４２４）と、を含む、請求項１から８のいずれか一項に記載の分配装置。
【請求項１０】
前記第１の角度は、０°〜２０°である、請求項１から９のいずれか一項に記載の分配装置。
【請求項１１】
前記供給ホッパーの前記少なくとも１つの開口部のセットは、前記回転軸に対して非対称的に適合され、前記回転軸を通過する多くとも１つの対称面を規定する、請求項１から１０のいずれか一項に記載の分配装置。
【請求項１２】
前記駆動部材は、前記駆動部材が連結される前記回転部材（４２１）が３６０°以下の角度範囲にわたって角速度変動を伴う運動をもたらすようなものである、請求項１１に記載の分配装置。
【請求項１３】
請求項１から１２のいずれか一項に記載の固体粒子分配装置を、その上部にオリフィスを画定する容器内に設置する方法であって、
前記容器への導入位置に、少なくとも前記回転部材と、少なくとも１つの剛性デフレクタ要素を含む前記少なくとも１つのデフレクタ要素のセットと、を前記オリフィスに通すことと、
前記容器への前記導入位置から前記粒子の偏差位置まで旋回させるために、前記展開手段を遠隔作動させて、前記回転部材上で旋回するように取り付けられた少なくとも１つのデフレクタ要素を駆動することと、を含む方法。
【請求項１４】
容器、好ましくは触媒反応器と、
前記容器に導入された前記回転部材および前記少なくとも１つのデフレクタ要素のセットを有する請求項１から１２のいずれか一項に記載の装置と、を含むアセンブリ。
【請求項１５】
上部に開口部を有する容器に固体粒子を装填する方法であって、
ａ）前記容器の前記上部の前記開口部を介した請求項１から１２のいずれか一項に記載の分配装置（４１７）を前記容器内に設置することと、
ｂ）前記装置の前記回転部材（４２１）を回転駆動することと、
ｃ）前記回転部材を回転させながら、粒子を前記装置の前記供給ホッパー（４１８）に導入することにより前記粒子を装填することと、を含む方法。
【請求項１６】
前記回転部材は、３５０°以下、好ましくは３３０°以下、より好ましくは３２０°以下、より良好には３１０°以下、さらにより良好には２７０°以下に及ぶ角度範囲の端部で回転方向が反転する振動運動を行うことを特徴とする、請求項１５に記載の方法。
【発明の詳細な説明】
【技術分野】
【０００１】
本発明は、容器、特に反応器内への固体粒子の分配に関する。
【背景技術】
【０００２】
反応器、特に化学、電気化学、石油または石油化学タイプの反応器に、分割された状態の固体粒子を装填することが知られている。これらの粒子は、例えば、ボール、グレイン、円柱、トローチ、バトン、または他の任意の形状をとることができ、一般に比較的小さな寸法を有する。
【０００３】
粒子は、特に固体触媒のグレインであり、通常押し出されて、規則的な形状またはシングルローブまたはマルチローブのバトンの形状で生産され、その寸法は状況によって数十分の一ミリメートルから数センチメートルまで変化する場合がある。
目的は、短時間で制限された空間に多くの固体粒子を均一かつできるだけ一様に装填することである。
【０００４】
本明細書の残りの部分でより具体的に言及されるのは、化学反応器への触媒のグレインの「高密度装填」と呼ばれるこの用途である。ここで「高密度装填」とは、制限された空間、短い装填時間、高い密度、均一性および一様性を調和させるために行われる降雨効果による装填を意味する。
【０００５】
しかしながら、記載された装置は、より一般的には、固体粒子を反応器または他の円筒状容器に装填する文脈で用途を見出すことができる。
【０００６】
化学反応器内の触媒粒子の固定ベッドの密度を高めることを可能にするいくつかの方法と装置は既に公知である。
【０００７】
例えば、国際公開第２０１０／０７６５２２号（Ｃｏｔｔａｒｄら）を引用することができる。記載された装置は、回転シャフトとデフレクタ要素を含み、比較的小さな断面のオリフィスを介して反応器に導入できるという意味で有利であり、半剛性デフレクタ要素が回転部材の回転時に立てられる。
【０００８】
国際公開第２０１０／０７６５２２号に記載されているタイプの装置は、一般に、反応器の上部を介して装填される粒子の導入と、落下する際の個々の粒子と固定または可動の機械的デフレクタとの衝突とを有し、粒子のランダムな偏差を引き起こす。このように垂直方向からの落下から外れた粒子は、理想的には、充填前線の表面全体に降雨の影響で個別に自由に落下し、高密度で均一な堆積物を形成する。
【０００９】
分配装置は、従来、反応器の上部および反応器の中心に位置する反応器の充填開口部に取り付けられる。
【００１０】
しかしながら、特に分配装置およびプローブ支持体を含む、この種の分配システムの反応器への設置は、特に粉塵が発生するため、実行するのが比較的難しい場合がある。
さらに、完全に安全に反応器を閉じることは難しい場合がある。
【００１１】
これらの環境および操作上の安全上の理由、および用途に応じた他の理由により、出願人は、したがって、装填装置の導入のためにオリフィスの直径を制限することを想定した。
【００１２】
装置の導入中に全体のサイズを制限するために、より柔軟な材料でストラップを製造することを想定できるが、その場合、固体粒子の効果的な分散ができず、装填が不十分になるリスクがある。
【先行技術文献】
【特許文献】
【００１３】
【特許文献１】国際公開第２０１０／０７６５２２号
【発明の概要】
【発明が解決しようとする課題】
【００１４】
したがって、比較的高密度の装填を確保しながら、比較的小さな断面のオリフィスを介して反応器に導入されるように適合された固体粒子分配システムが必要である。
【課題を解決するための手段】
【００１５】
容器、例えば反応器に固体粒子を装填するために固体粒子を分配させるための装置が提案され、本装置は、
【００１６】
重力によってホッパーから粒子を排出するための少なくとも１つの開口部のセットを画定する固体粒子供給ホッパーと、
【００１７】
回転部材と、回転部材に結合されて、使用条件下で重力ベクトルの方向の成分をもつ方向を有する回転軸、例えば重力ベクトルに平行な回転軸の周りに回転するように回転部材を駆動する駆動部材と、
【００１８】
供給ホッパーの少なくとも１つの開口部のセットの下流に、少なくとも１つのデフレクタ要素のセットであって、各デフレクタ要素が、第１の端部と第２の端部との間でその長手方向に沿って延在し、その第１の端部で回転部材によって担持される、少なくとも１つのデフレクタ要素のセットと、を含む。
【００１９】
本発明によれば、
セットの少なくとも１つの（好ましくは各々の）デフレクタ要素は、剛性であって、その第１の端部で回転部材上で旋回するように取り付けられ、
分配装置は、回転部材上で旋回するように取り付けられた少なくとも１つのデフレクタ要素を駆動して、容器への導入位置から粒子の偏差位置まで旋回させるように適合された遠隔作動可能な展開（deployment）手段をさらに含み、容器への導入位置では、その長手方向が回転軸の方向と第１の角度を形成し、粒子の偏差位置では、その長手方向が回転軸の方向と第２の角度を形成し、第２の角度は第１の角度よりも厳密に大きく、回転部材の回転速度とは独立に展開手段によって課されることを特徴とする。
【００２０】
したがって、回転速度がゼロのときに比較的かさばる、端部が回転部材にしっかりと固定された可撓性または半剛性のストラップではなく、少なくとも１つの剛性デフレクタ要素、剛性デフレクタ要素の第１の端部と回転部材との間の少なくとも１つの関節接続、およびデフレクタ要素の展開手段が提供される。これらの展開手段を作動させることにより、この少なくとも１つのデフレクタ要素は、それが既に容器内にあるときに旋回し、第２の端部を回転軸から遠ざけることができる。
【００２１】
上述の分配装置は、動作中、回転速度がこの少なくとも１つのデフレクタ要素と回転軸との間の角度に影響を及ぼさないという意味でさらに有利である。言い換えれば、その角度は、角速度に関係なく、展開手段により課せられる。特に、この角度は、回転がない場合も含めて調整することができる。言い換えれば、展開手段はモータから完全に独立しており、モータから分離されている。これにより、回転速度がより少ないパラメータに影響を与え、落下粒子のリバウンドのレベルのみに影響を与えるため、装填のより良い制御が可能になる（言語の乱用により、これは透過性と呼ばれる）。
【００２２】
少なくとも１つのデフレクタ要素のセットは、単一のデフレクタ要素を含んでもよく、または有利には、異なる長さであってもよい複数のデフレクタ要素を含んでもよい。
【００２３】
この後者の場合、展開手段は、複数のデフレクタ要素をすべて、有利には同時に旋回させるように適合されてもよい。
【００２４】
あるいは、展開手段は、１つまたは複数のデフレクタ要素を、複数の他のデフレクタ要素とは独立して旋回させるように適合されてもよい。
【００２５】
装填装置は、展開手段とは独立した少なくとも１つの補助デフレクタ要素のセットをさらに含んでもよい。少なくとも１つの補助デフレクタ要素のこのセットは、例えば、回転部材の回転によって生成される遠心力によって立てられてもよい。
【００２６】
一実施形態では、分配装置は、回転部材の回転速度がゼロであり、回転軸が垂直である場合、旋回するように取り付けられた少なくとも１つのデフレクタ要素が、第１および第２の角度に対応する２つの平衡位置のみを有してもよいようなものである。言い換えると、展開手段は、旋回するように取り付けられた少なくとも１つのデフレクタ要素を１つの角度位置でのみ立てられるように維持することができる。
【００２７】
別の実施形態では、分配装置は、展開手段が、少なくとも１つの中間位置で旋回するように取り付けられた少なくとも１つのデフレクタ要素を保持できるようにすることができ、各中間位置は、厳密に第１の角度より大きく、厳密に第２の角度より小さい角度に対応するようなものである。言い換えれば、展開手段は、旋回するように取り付けられた少なくとも１つのデフレクタ要素と回転軸との間の角度の調整を可能にすることができるので、装填のさらに良好な制御を可能にする。
【００２８】
本発明によれば、少なくとも１つのデフレクタ要素は剛性である。したがって、本発明は、粒子が比較的遠くに跳ね返ることができるので、少なくとも１つのデフレクタ要素のセットの導入中のコンパクトさと装填品質との調整を可能にする。
【００２９】
しかしながら、半剛性または可撓性材料で作られた少なくとも１つのデフレクタ要素、および場合によっては複数のデフレクタ要素をさらに提供することを除外するものは何もない。
【００３０】
一実施形態では、第１の端部で剛性であり、第２の端部でより柔軟な少なくとも１つのデフレクタ要素がさらに存在し得る。このより柔軟な部分は、このデフレクタ要素が十分に迅速に回転駆動されると、ホイップ効果を得ることができる。
【００３１】
例えば、少なくとも１つのデフレクタ要素は、その自由端で、長さの３分の２にわたる剛性材料と残りの３分の１にわたる可撓性材料から製造されてもよい。
【００３２】
「遠隔作動可能」とは、容器の外部から作動可能であることを意味する。展開手段は、例えば、ロッドなどの機械的要素と協働してもよく、ロッドの一部は、一組のデフレクタ要素が内部にあるときに依然として容器の外側にあってもよい。別の実施形態では、展開手段は、容器の外側に位置する送信手段によって送信された制御メッセージを受信するための無線受信手段を含んでもよい。
【００３３】
例えば、展開手段は、少なくとも１つのステッピングモータ、そのモータを制御するためのマイクロコントローラ、および無線受信手段を含んでもよい。
【００３４】
堅牢性の観点から有利な別の例によれば、展開手段は、有利には、デフレクタ要素または各デフレクタ要素が容器内に受け入れられたときに、容器の外側からの操作を可能にするのに十分な高さにわたって、（使用条件下で）ホッパー上部に向かって延在する第１のロッドを含む連結部材と、第１のロッドに取り付けられ、（直接または他の要素を介して）関節運動し、少なくとも１つのデフレクタ要素と協働する少なくとも１つの第２のロッドと、を含んでもよい。
【００３５】
連結部材は、互いに関節接合された複数のロッドを含み、したがって、これらのロッドの１つ（第１のロッドと呼ばれる）を容器の外側から操作することにより、少なくとも１つの他のロッドが動き、そして最後に少なくとも１つのデフレクタ要素が動くように駆動されてもよい。
【００３６】
第１の角度と第２の角度との差は、有利には３０°以上、有利には６０°以上であってもよい。
【００３７】
第１の角度と第２の角度との差は、有利には１００°以下、有利には９５°または９０°以下であってもよい。
【００３８】
第１の角度は、有利には０°〜４０°または３０°、有利には０°〜２０°であってもよい。例えば、第１の角度は０°〜５°であってもよい。
【００３９】
第２の角度は、有利には４５°〜１００°、有利には６０〜９５°であってもよい。例えば、第２の角度は７５°〜９０°であってもよい。
【００４０】
一実施形態では、供給ホッパーの少なくとも１つの開口部のセットは、回転軸に対して非対称的に適合されてもよく、回転軸を通過する多くとも１つの対称面を規定する。
【００４１】
少なくとも１つの開口部のこのセットは、回転軸に垂直で、かつ少なくとも１つの開口部のセットの下に位置する少なくとも１つの平面（有利には、少なくとも１つの開口部のセットと少なくとも１つのデフレクタ要素のセットとの間の）について、平面内にあって頂点が回転軸上にある第１の角度セクタを通って落下する粒子の流量は、その平面内にあって頂点が回転軸上にある第２の角度セクタを通って落下する粒子の流量よりも厳密に大きくなるように適合されてもよく、第１および第２のセクタは同じ角度値を有し、分離されている。
【００４２】
分布が非対称であるため、この装置は、装填の品質を損なうことなく、容器内に偏心した方法で配置することができる。
【００４３】
一実施形態では、装填装置は、回転部材が複数の回転にわたって一定の回転速度で連続的な動きをするようなものであってもよい。
【００４４】
あるいは、駆動部材は、それが連結される回転部材が、３６０°以下の角度範囲にわたる角速度の変動を伴う運動、例えば、回転方向の変化を伴う振動運動をもたらすようなものであってもよい。
【００４５】
少なくとも１つのデフレクタ要素のセットは、回転軸の周りに規則的な方法で、または不規則な方法で分布されてもよい。
【００４６】
例えば、少なくとも１つのデフレクタ要素のセットは、回転軸に対して立てられたときに、回転部材の回転軸に垂直な平面内のセットの投影が、回転軸を通る対称面を多くとも１つ含む回転軸の周りに非対称分布を有するようなものであってもよい。
【００４７】
あるいは、例えば、少なくとも１つのデフレクタ要素のセットは、回転軸に対して立てられたときに、回転部材の回転軸に垂直な平面内のセットの投影が、回転軸を通る少なくとも２つの対称面をもつ分布を有するようなものであってもよい。
【００４８】
さらに、供給ホッパーの少なくとも１つの開口部のセットは、回転軸に対して非対称的に適合されてもよく、回転軸を通過する多くとも１つの対称面を規定する。
【００４９】
あるいは、さらに、供給ホッパーの少なくとも１つの開口部のセットは、回転軸に対して対称的に適合されてもよく、回転軸を通過する少なくとも２つの対称面を規定する。
【００５０】
装填装置がそのような非対称性を有する場合、容器の中心垂直軸に対してそれをオフセットするための供給物があってもよく、したがって、他の機器、特にセンサーのためにスペースを空けることが可能になる。したがって、分配装置を使用して、小径の容器に装填することができる。
【００５１】
さらに、短い角度範囲で回転速度を提供することにより、往復運動がゼロ回転速度を通過するため、デフレクタ要素が最も多く存在する角度範囲で粒子の偏差が有利になる。
【００５２】
一方、供給ホッパーの少なくとも１つの開口部のセットと規則的に分配される少なくとも１つのデフレクタ要素のセットとを備えた分配装置は、有利には、容器の垂直中心軸に取り付けることができる。
【００５３】
各デフレクタ要素は、例えば、１°〜３０°、有利には５°〜２０°、例えば１０°程度の角度範囲を占めてもよい。
【００５４】
偏心位置に取り付けることを目的とする非対称分配装置の場合、デフレクタ要素は、制限された角度範囲、例えば、３２０°未満、有利には２８０°、１８０°、または１２０°未満、しかし有利には５°を超えて及ぶ範囲のみに分布してもよい。
【００５５】
デフレクタ要素は、任意選択的に、この制限された角度範囲内で規則的に分布してもよく、そうでなくてもよい。
【００５６】
この制限された角度範囲にわたって分布するデフレクタ要素は、任意選択的に同一の材料で作られていてもよく、そうでなくてもよい。
【００５７】
この制限された角度範囲にわたって分布するデフレクタ要素は、任意選択的に同一の長さ（半径方向）を有してもよい。
【００５８】
複数のデフレクタ要素は、有利には、少なくとも１つの短いデフレクタ要素と少なくとも１つの長いデフレクタ要素を含んでもよく、各長いデフレクタ要素は短いデフレクタ要素の長さより大きい半径方向の長さを有する。
【００５９】
一実施形態では、制限角度範囲にのみ分布する複数のデフレクタ要素は、その制限角度範囲のそれぞれの端部に２つの短いデフレクタ要素と、これら２つの短いデフレクタ要素間の少なくとも１つの長いデフレクタ要素を含んでもよい。
【００６０】
別の実施形態では、３６０°にわたって分布する４〜１２個のデフレクタ要素があってもよい。例えば、デフレクタ要素のセットは、長さが変化するデフレクタ要素を含んでもよい。
【００６１】
本発明は、デフレクタ要素の特定の形態に限定されない。
【００６２】
デフレクタ要素は、例えば硬質プラスチック、例えばＰＶＣ（ポリ塩化ビニル）、ゴム、強化ゴム、または他の材料で作られてもよい。
【００６３】
特に、アルミニウムコアとゴムコーティングまたはマトリックスを提供することができる。
【００６４】
振動運動の場合、この種の往復運動は有利には周期的であってもよい、すなわち、運動は数秒間、有利には数分間同一であってもよい。
【００６５】
周期は、数分の１秒のオーダー、例えば、１００分の１秒または１０分の１秒のオーダー、または例えば１秒のオーダーであってもよい。
【００６６】
可変回転速度を伴う運動の場合、駆動部材は、３６０°以下の角度範囲にわたる角速度の変動を伴う運動、例えば振動運動を生じさせるように制御されるモータを含んでもよい。その場合、装置は、例えば、モータを制御するためのマイクロコントローラタイプの処理手段を含んでもよい。
駆動部材は、例えばステッピングモータなどの電動モータを含んでもよい。
【００６７】
電動モータを制御する処理手段は、電動モータに振動運動を課すように電動モータを制御するようにプログラムされてもよい。これらの処理手段は、モータ上にあっても、反応器の外側に残っていてもよい。
【００６８】
別の実施形態では、駆動部材は、連続回転運動を行うように制御されるモータ、例えば電動モータまたは他のモータと、モータの連続回転運動を３６０°以下の角度範囲にわたる角速度の変動を伴う運動、例えば３６０°以下、有利には３５０°以下の角度範囲に制限される振動運動に変換するための要素と、を含んでもよい。これらの変換要素は、一方ではモータと、他方では回転部材と協働してもよい。これらの変換要素は、例えば、ローラ、カム、またはモータのシャフトおよび回転部材と協働する他の要素を含んでもよい。
【００６９】
特に、変換要素は、振り子時計のように、回転運動を振動運動に変換するために、開口部に配置されたピンを端部に有するオフセットラグを備えた偏心ローラを含んでもよい。
駆動部材は、機械的運動を伴う空気圧モータを含んでもよい。
【００７０】
非対称性のない分配装置の場合、回転部材は、例えば、モータのロータと一体であってもよい。もちろん、例えばギア、例えば、モータの連続的な回転運動を別の連続的な回転運動に変換する要素などの要素をモータと回転部材との間に設けることもできる。
【００７１】
回転軸と供給ホッパーは、任意選択で同軸であってもよく、そうでなくてもよい。特に、少なくとも１つの非対称開口部のセットの場合、そのセットの開口部または複数の開口部に対してオフセットされた回転軸が提供されてもよい。
【００７２】
分配装置は、駆動部材および／または回転部材と協働するかまたは一体である回転シャフトを含んでもよい。
【００７３】
このシャフトは、任意選択的に供給ホッパーに受け入れられてもよい。例えば、シャフトに対してわずかにオフセットした供給ホッパーを提供することができる。
デフレクタ要素は、任意選択で、異なる高さ、例えば異なるレベルで互いに固定されてもよい。
【００７４】
複数のレベルに分布されたデフレクタ要素の場合、任意選択で、あるレベルから別のレベルに五点形分布を提供することができる。
【００７５】
容器と、容器に導入された少なくとも１つのデフレクタ要素のセットと回転部材を備えた上記の装置とを含むアセンブリも提案されている。
【００７６】
一実施形態では、容器が水平な床に置かれたときに中心垂直軸を規定し、上記の装置は、任意選択で、容器に中心垂直軸に対して偏心位置に取り付けられてもよい。
容器は、例えば化学、石油化学、電気化学、石油または他のタイプの反応器であってもよい。
【００７７】
反応器は、その反応中の触媒反応の試薬および生成物を収容するように適合されてもよい。次に、触媒反応器が参照される。
【００７８】
容器は、その上部に、容器の最大直径と同じ直径の、または有利にはより小さい直径のオリフィスを有してもよい。
容器の最大直径は、数メートル程度、あるいは１メートル以下の程度であってもよい。
オリフィスの直径は、例えば、数メートル、１メートルまたは１デシメートル程度であってもよい。
【００７９】
さらに、上記の固体粒子分配装置を容器、例えば上部にオリフィスを画定する反応器に設置する方法が提案され、
【００８０】
容器への導入位置に、少なくとも回転部材と、少なくとも１つの剛性デフレクタ要素を含む少なくとも１つのデフレクタ要素のセットと、をオリフィスを介して、オリフィスを通過させ、
【００８１】
容器への導入位置から粒子の偏差位置まで旋回させるために、展開手段を遠隔作動させて、回転部材上で旋回するように取り付けられた少なくとも１つのデフレクタ要素を駆動する。
【００８２】
一実施形態では、このオリフィスは、例えば１デシメートル程度の比較的小さな寸法を有してもよく、および／または偏心していてもよい。
【００８３】
最後に、本発明は、固体粒子を容器、好ましくは触媒反応器に装填する方法にある。本方法は、
ａ）上部に画定された容器の開口部を介した上記の分配装置の容器への設置と、
ｂ）装置の回転部材を回転するように駆動することと、
ｃ）回転部材が回転し続けている間に、装置の供給ホッパーに粒子を導入することにより粒子を装填することと、を含む。
【００８４】
１つの好ましい実施形態によれば、回転部材は、３５０°以下、好ましくは３３０°以下、より好ましくは３２０°以下、より良好には３１０°以下、さらにより良好には２７０°以下に及ぶ角度範囲の端部で回転方向が反転する振動運動（すなわち、往復運動）を行う。
【００８５】
本出願において、「高い」、「低い」、「上部」、「下部」、「垂直」、「水平」、「横方向」、「上方」、「下方」などの用語は、それらの用語の標準的な意味で定義され（つまり、垂直方向は重力ベクトルの方向であり、重力ベクトルは下向きになっている）、通常の使用条件の下に置かれた容器の場合、すなわち、長手方向軸が重力ベクトルの方向を向いている。もちろん、クレームされた主題は、特に輸送中に異なる方向に向けることができる。
【００８６】
原則として、本出願では、「１つ」は「１つまたは複数」を意味する。
【００８７】
特に、本発明は、例えば高さが数十センチメートルで開口部が直径数センチメートルの小さな寸法の反応器に用途を見出すことができる。
【００８８】
しかし、本発明はその用途に限定されない。例えば、反応器の高さが数メートル、直径が数メートルであってもよい。
本発明は、非限定的な実施形態を示す図を参照してよりよく理解されるであろう。
【図面の簡単な説明】
【００８９】
【図１】反応器と従来技術の固体粒子分配装置の一例を含むアセンブリを模式的に示す図である。
【図２】本発明の一実施形態による固体粒子分配装置の一例の一部の概略斜視図であり、デフレクタ要素は容器への導入位置にある。
【図３】図２の固体粒子分配装置の一例の一部の概略斜視図であり、デフレクタ要素は粒子の偏位の位置にある。
【図４】図２および図３の分配装置の例を表す断面図である。
【図５】本発明の一実施形態による分配装置の通過のためのオリフィスを備えた反応器カバーの一例の概略斜視図である。
【発明を実施するための形態】
【００９０】
同一または類似の要素を指定するために、１つの図から別の図に同一の符号を使用することがある。
【００９１】
図１を参照すると、反応器１は、特に固体粒子６、７を分配するための装置３の通路のために、オリフィスと呼ばれる開口部１３を画定する。
【００９２】
分配装置３は、例えば、国際公開第２０１０／０７６５２２号に記載されているものと同じタイプのものであってもよい。
【００９３】
示された例では、分配装置は、アーム上の反応器１のプレート４に載っている。
【００９４】
装置３は、固体粒子のより良い分布のために、剛性または半剛性のストラップ９をさらに含む。これらのストラップ９の各々は、固体粒子を供給するためのホッパー５を通って垂直軸（Ｄ）に沿って延在するシャフト３１に一端で固定されている。
【００９５】
オリフィス１３は、すべてのストラップ９が通過できるように十分大きくなければならない。
【００９６】
ホッパー５は、それ自体公知の方法で、図示されていない固体粒子の貯蔵部に接続されてもよい。
【００９７】
装填中に、固体粒子は、ストラップ９の上方に位置するホッパーの一端に画定された開口部８を通って流れる。
【００９８】
また、シャフト３１が、図示されていないモータによって回転駆動されるので、ストラップがシャフトから斜めに離れるように延びる。
【００９９】
ホッパー５から落下する粒子は、これらのストラップ上で跳ね返りやすく、したがって、軌道から逸脱する傾向がある。これらのいくぶんランダムな偏差により、固体粒子の高密度装填が可能になる。
【０１００】
分配装置３は、反応器１に不活性ボール６および触媒粒子７を装填することを可能にする。
【０１０１】
反応器に装填された製品、または反応器の装填により、分配装置、例えば図１のベッド６、７によって反応器に分配される固体粒子は、用語の化学的な意味での試薬および製品、および／またはその他を意味する。
【０１０２】
図２、図３および図４を参照すると、分配装置４１７は、ホッパーの側壁に画定された複数、ここでは４つの側面開口部４１９を画定するホッパー４１８を含む。ホッパーの底部は、回転する機械的要素の通過のための開口部を除いて中実である。
【０１０３】
この実施例では、各開口部４１９は、垂直レール上に取り付けられてスライドするブロッキングフラップ４２０を備えている。したがって、各開口部４１９の有効断面は、開口部４１９のセットがホッパーの周囲に非対称的に分布し、特定の方向にホッパーに含まれる粒子の排出を促進するように調整することができる。
【０１０４】
これらの開口部４１９の下には、剛性プラスチック製のデフレクタ要素４２５が回転要素４２１に取り付けられている。
【０１０５】
その回転要素４２１は、符号を付していない変換手段により、ホッパーに対して中央に配置され、軸（ｚ）の周りに表されていないモータによって回転駆動されるホッパーを横切るシャフトと協働する。
【０１０６】
特にローラを含むこれらの変換手段は、シャフトの連続回転運動を回転要素４２１の振動運動に変換することを可能にする。
【０１０７】
各デフレクタ要素は、それ自体の長手方向に、第１の端部４３０と第２の端部４３２との間で長手方向に延在する。図３には、符号４２５で示されるデフレクタ要素に結び付けられた長手方向に平行な直線セグメント（Ｄｉ）が示されている。
【０１０８】
各デフレクタ要素４２５の端部４３０の関節４２６、４２７は、そのデフレクタ要素と回転要素４２１との間の旋回接続を規定する。
【０１０９】
他端４３２は自由端である。
【０１１０】
より正確には、互いに向かい合う２つのフランジ４２７がデフレクタ要素にねじで固定されている。これらのフランジ４２７は、回転要素４２１に画定された穴を通過するロッド４２６を受け入れるためのオリフィスを画定する。
【０１１１】
したがって、このピボット接続のおかげで、デフレクタ要素４２５は、図２に示すような容器内への導入位置から、図３に示すような展開位置まで通過することができる。
【０１１２】
この実施形態では、１つの位置から他の位置へのこの通過は、連結部材４２２によって達成される。この部材は、互いに関節接合された複数のロッドを含み、中央垂直ロッド４２３と放射状ロッド４２４を含む。
【０１１３】
放射状ロッド４２４は、デフレクタ要素２４５に関節接合され、連結部材４２２は、中央ロッド４２３の垂直運動が、傘のように、放射状ロッド４２４、したがってデフレクタ要素４２５の動きを駆動するようになっている。
【０１１４】
傘のように機能するこの連結部材は、すべてのデフレクタ要素を同時に立てることができる。
【０１１５】
容器に取り付けられたデフレクタ要素は、モータを始動する前に立てられてもよい。
【０１１６】
回転速度は、デフレクタ要素の角度に影響しない。したがって、回転速度は、回転軸とデフレクタ要素に結び付けられた長手方向との間のこの角度とは独立に、粒子の透過性に影響を与えることができる。
【０１１７】
連結部材は、有利には、少なくとも１つのデフレクタ要素（例えば、デフレクタ要素のすべてまたは個々の各デフレクタ要素）の角度位置が調整可能になるように適合されてもよい。図２、図３および図４の例では、容器を充填する方向を優先するように、デフレクタ要素の長さが可変であり、この装置４１７は偏心位置決めを目的としている。
【０１１８】
図５を参照すると、図示されていない円筒状反応器本体を覆うことを目的としたカバー５０２の一例が示されている。
【０１１９】
このカバー５０２は、少数の、ここでは２つの排出口５０３、５０４を画定する。一方の排出口５０３は、装填装置の通過に対応し、他方の排出口５０４は、空気の排出、プローブ装置の通過などに対応してもよい。
【０１２０】
容器への導入中の装填装置のコンパクトさにより、したがって、装填中に粉塵によって生じる不快をさらに制限することが可能である。
【符号の説明】
【０１２１】
１  反応器
３  分配装置
４  プレート
５  ホッパー
６  固体粒子、不活性ボール
７  固体粒子、触媒粒子
８  開口部
９  ストラップ
１３  開口部、オリフィス
３１  シャフト
２４５  デフレクタ要素
４１７  分配装置
４１８  ホッパー
４１９  側面開口部
４２０  ブロッキングフラップ
４２１  回転要素
４２２  連結部材
４２３  中央垂直ロッド、中央ロッド
４２４  放射状ロッド
４２５  デフレクタ要素
４２６  ロッド、関節
４２７  フランジ、関節
４３０  第１の端部
４３２  第２の端部
５０２  カバー
５０３  排出口
５０４  排出口
【図１】
2020124702.tif 000003
【図２】
2020124702.tif 000004
【図３】
2020124702.tif 000005
【図４】
2020124702.tif 000006
【図５】
2020124702.tif 000007
【外国語明細書】
2020124702000001.pdf